(57)【要約】【課題】  高度に集積化され、複雑な配線構造を備えた集積回路チップを容易に実装できる基板を備え、かつ低コストで製造することが可能な小型、高精細の光変調装置を提供する。【解決手段】  入射光を変調して出射させる光変調機能を有する本体部３５と、該本体部３５と外部の制御回路４１とを接続するための配線部３２とを備えた光変調装置であって、上記配線部３２が、いずれか一方側の面に集積回路チップ３４が実装される基板から構成され、該基板上に形成される配線４９のうち、少なくとも上記本体部３５と上記集積回路チップ３４とを接続する配線は、上記基板の上記集積回路チップ３４が実装される面に形成され、該基板上に形成される配線４９のうち、上記集積回路チップ３４より上記外部の制御回路側４１の配線は、上記基板の両面に形成される。【選択図】              図２
2005072145.tif 000002
【特許請求の範囲】
【請求項１】
入射光を変調して出射させる光変調機能を有する本体部と、該本体部と外部の制御回路とを接続するための配線部とを備えた光変調装置であって、
前記配線部が、いずれか一方側の面に集積回路チップが実装される基板から構成され、
該基板上に形成される配線のうち、少なくとも前記本体部と前記集積回路チップとを接続する配線は、前記基板の前記集積回路チップが実装される面に形成され、
該基板上に形成される配線のうち、前記集積回路チップより前記外部の制御回路側の配線は、前記基板の両面に形成される
ことを特徴とする光変調装置。
【請求項２】
前記集積回路チップより前記外部の制御回路側の配線のうち、前記基板のいずれか一方側の面に形成された配線同士を接続する配線が前記基板の他方側の面に形成されていることを特徴とする請求項１記載の光変調装置。
【請求項３】
前記基板上に形成される配線のうち、前記集積回路チップより前記本体部側の配線は、前記基板の集積回路チップが実装される面に形成されることを特徴とする請求項１または２記載の光変調装置。
【請求項４】
前記基板は、可撓性を有することを特徴とする請求項１〜３いずれかに記載の光変調装置。
【請求項５】
前記基板の集積回路チップが実装される面に、前記本体部と接続するための端子部が形成されていることを特徴とする請求項１〜４いずれかに記載の光変調装置。
【請求項６】
前記基板に実装される集積回路チップが、前記本体部を駆動制御するための駆動回路の少なくとも一部を成していることを特徴とする請求項１〜５いずれかに記載の光変調装置。
【請求項７】
前記基板に電子部品あるいは／及び複数の集積回路チップが実装されることを特徴とする請求項１〜６いずれかに記載の光変調装置。
【請求項８】
請求項１〜７いずれかに記載の光変調装置を備えることを特徴とする表示装置。
【請求項９】
請求項８記載の表示装置を備えることを特徴とする電子機器。
【発明の詳細な説明】
【技術分野】
【０００１】
本発明は、光変調装置、表示装置及び電子機器に関するものである。
【背景技術】
【０００２】
従来から、液晶パネルの外部に駆動回路を備えた液晶装置では、外部に設けられた駆動回路とパネル本体とをＦＰＣ（Flexible Print Circuit）基板を用いて接続している。また、この種の液晶装置として、上記ＦＰＣ基板に集積回路チップを実装するＴＣＰ（Tape Carrier Package）技術やＣＯＦ(Chip on Film)技術を用いたものも知られており（例えば、特許文献１参照）、これらの技術のうちでも、ＣＯＦ技術を用いたＣＯＦ基板は、高集積のチップの実装が比較的容易で、基板の可撓性にも優れることから注目されている。そして、このＣＯＦ基板を用いて液晶装置を構成するならば、液晶パネルとフレキシブル基板との接続箇所を減らして、製造歩留まりの改善と部品点数の削減を図ることができる。
【特許文献１】特開２００１−２６４５７１号公報
【発明の開示】
【発明が解決しようとする課題】
【０００３】
上記ＣＯＦ技術等を用いるならば、液晶パネルとフレキシブル基板との接続部の構成をある程度簡素化することはできるが、投射型表示装置の光変調装置（ライトバルブ）として用いられる液晶装置では、液晶パネルの小型化、高精細化が特に著しく、それに伴って液晶パネルに形成される端子数が増加し、端子や配線が狭ピッチ化される傾向にある。そして、液晶パネルの小型化に伴いＣＯＦ基板の寸法も制限されるため、ＣＯＦ基板自体の集積度も上昇する傾向にある。そこで、ＣＯＦ基板の両面に集積回路チップの実装や配線を形成することが可能な両面ＣＯＦ基板も提案されているが、狭ピッチに対応した両面ＣＯＦ基板は技術的に製造が困難であり、そのため高コストにならざるを得ないという問題がある。
【０００４】
本発明は上記課題を解決するために成されたものであって、高度に集積化され、複雑な配線構造を備えた集積回路チップを容易に実装できる基板を備え、かつ低コストで製造することが可能な小型、高精細の光変調装置を提供することを目的としている。
また本発明は上記光変調装置を備え、小型、高精細の光変調手段ないし画像表示手段を有する表示装置、電子機器を提供することを目的としている。
【課題を解決するための手段】
【０００５】
そこで、本発明に係る光変調装置では、入射光を変調して出射させる光変調機能を有する本体部と、該本体部と外部の制御回路とを接続するための配線部とを備えた光変調装置であって、上記配線部が、いずれか一方側の面に集積回路チップが実装される基板から構成され、該基板上に形成される配線のうち、少なくとも上記本体部と上記集積回路チップとを接続する配線が上記基板の上記集積回路チップが実装される面に形成され、該基板上に形成される配線のうち、上記集積回路チップより上記外部の制御回路側の配線が上記基板の両面に形成されることを特徴とする。
【０００６】
このような特徴を有する本発明に係る光変調装置では、少なくとも本体部と上記集積回路チップとを接続する配線を集積回路チップが実装された基板面に形成されるので、配線が密となる部分において基板の両面に配線を形成する必要がなくなる。よって、光変調装置の製造コストの低減を図ることができる。すなわち、狭ピッチで信号配線や端子が形成された基板は、その製造困難性からコスト高になることが問題であるが、本発明では、狭ピッチで形成される配線が、集積回路チップが実装された基板面に形成されるため、製造困難度の高い基板における配線構造を簡素化することとにより、配線部の製造コストを低減することができる。
なお、集積回路チップは、上記配線部のうち、本体部と隣接して配置されていることが好ましい。これによって、先の集積回路チップと本体部との信号の遅延やノイズの混入等が生じにくく、信頼性に優れる光変調装置を実現することができる。
【０００７】
また、本発明に係る光変調装置は、上記集積回路チップより上記外部の制御回路側の配線のうち、上記基板のいずれか一方側の面に形成された配線同士を接続する配線が上記基板の他方側の面に形成されていることを特徴とする。このような特徴を有する本発明に係る光変調装置によれば、集積回路チップより外部の制御回路側の配線のうち、基板のいずれか一方側の面に形成された配線同士が離れている場合であっても、基板の他方側の面に形成される配線によって容易に接続することができる。
【０００８】
また、上記基板上に形成される配線のうち、上記集積回路チップより上記本体部側の配線は、上記基板の集積回路チップが実装される面に形成されることが好ましい。これによって、例えば、配線が狭ピッチで形成される部位（集積回路チップと本体部とを接続する配線が形成される部位）の近傍に形成される配線も集積回路チップが実装される基板面に形成されるため、より簡易に配線部を製造することができる。
【０００９】
なお、上記基板は、可撓性を有することが好ましい。これによって、配線部を形状変化させて配することが可能となるため、本発明に係る光変調装置を備える電子機器等の設計自由度が向上される。
【００１０】
また、上記基板の集積回路チップが実装された面に、上記本体部と接続するための端子部が形成されていることが好ましい。
この構成によれば、集積回路チップと本体部を接続する配線と端子部と同一の面に同時に形成できるため低コストの配線部とすることができる。
【００１１】
本発明の光変調装置は、上記基板に実装された集積回路チップが、上記本体部を駆動制御するための駆動回路の少なくとも一部を成している構成とすることもできる。
この構成によれば、駆動回路を構成する回路のうち、高い能力を要求される回路を上記基板に実装しておくことができるため、光変調装置の本体部を高精細化した場合にも、駆動回路の能力を容易に向上させることができるという利点が得られる。
【００１２】
また、本発明の光変調装置は、上記基板に、複数の集積回路チップ又は電子部品が実装されている構成とすることもできる。このような構成においても、例えば、集積回路チップより本体部から遠い位置での配線の引き回しにより配線構造の複雑化に容易に対応できるため、高機能の光変調装置を、コスト上昇を抑えつつ実現することができる。
【００１３】
次に、本発明の表示装置は、上記本発明の光変調装置を備えたことを特徴とする。この構成によれば、小型高精細の光変調手段を備えた表示装置を低コストで提供することができる。
【００１４】
次に、本発明の電子機器は、上記本発明の表示装置を備えたことを特徴とする。この構成によれば、小型、高精細の表示部を備えた電子機器を低コストで提供することができる。
【発明を実施するための最良の形態】
【００１５】
以下、図面を参照して、本発明に係る光変調装置、表示装置及び電子機器の一実施形態について説明する。
図１は、本発明に係る光変調装置の一実施の形態である液晶装置の斜視構成図であり、図２は、同、平面構成図である。これらの図に示す液晶装置２２は、入射光を変調して出射させる光変調機能を有する液晶パネル（本体部）３５と、その一辺端部に接続された可撓性を有する配線部３２とを備えて構成されている。尚、以下の全ての図面においては、図面を見やすくするため、各構成要素の膜厚や寸法の比率などは適宜異ならせてある。
【００１６】
液晶パネル３５は、互いに対向して配置された素子基板３５ａと対向基板３５ｂとの間に液晶層を挟持しており、上記両基板３５ａ、３５ｂが平面的に重なる領域に表示領域である画素部３９が形成されている。画素部３９は、平面視マトリクス状に配列された複数の画素を有している。素子基板３５ａの周縁部には、２つの駆動回路３７，３８実装されており、一方の駆動回路３７は、その近傍に形成された複数の接続部３６と電気的に接続されている。配線部３２は、ＣＯＦ(Chip on Film)基板として構成されている。また図２に示すように、配線部３２の長さ方向一端側と液晶パネル３５とが複数の端子部３６を介して電気的に接続され、配線部３２の他端側と制御回路部４１とが複数の端子部４６を介して電気的に接続されている。
【００１７】
配線部３２は、その一面側（図２裏面側）に実装されたドライバＩＣ３４を備えており、このドライバＩＣ３４が実装された側の基板面縁端部に、上記ドライバＩＣ３４と液晶パネル３５の駆動回路３７とを接続するための端子が設けられ、素子基板３５ａの縁端部上面に形成された端子と接続されて接続部３６を形成している。すなわち、ドライバＩＣ３４と駆動回路３７とが、接続部３６を介して電気的に接続されている。この接続部３６は、ドライバＩＣ３４が実装される基板面と同一の面に形成されていることが好ましい。また、配線部３２に設けられた複数の信号配線４９は、配線部３２の液晶パネル３５と反対側の端部に設けられた接続部４６に、液晶パネル３５の接続部３６から直接又はドライバＩＣ３４を経由して接続されている。
【００１８】
この信号配線４９は、図示表面側（ドライバＩＣ３４が実装される基板面）に形成された複数の信号配線４９ａと、図示裏面側に形成された複数の信号配線４９ｂとで構成されており、一部の信号配線４９ａと信号配線４９ｂとは、基板を貫通して形成された透孔に電極材料を配置してなる接続孔４９ｃを介して接続されている。したがって、基板両面の信号配線４９ａ、４９ｂは、接続孔４９ｃを介して電気的に接続されている。
【００１９】
具体的には、例えば、信号配線４９ａのうち、図示左端の信号配線４９は、接続孔４９ｃを介して裏面側の信号配線４９ｂと接続され、同様にこの信号配線４９ｂに接続された図示右端の信号配線４９ａと電気的に接続されている。すなわち、液晶パネル３５の両端の接続部３６，３６間が、図示裏面の信号配線４９ｂ及び図示表面の信号配線４９ａを経由して接続されている。
【００２０】
また、ドライバＩＣの上側中央部から延出された信号配線４９ａは、接続孔４９ｃを介して基板裏面の信号配線４９ｂに接続されている。そして、同様に接続孔４９ｃを介して、この信号配線４９ｂに接続された２本の信号配線４９ａと電気的に接続されている。これらの信号配線４９ａは、配線部３２の信号配線４９を介して液晶パネル３５の両端からそれぞれ２番目に配置された接続部３６，３６に接続されている。このような構成とすることで、本実施形態の液晶装置では、ドライバＩＣ３４の液晶パネル３５と反対側から引き出された信号配線４９ａが、配線部３２上で他の信号配線４９を跨ぐことなく液晶パネル３５の接続部３６に接続されるようになっている。
そして、ドライバＩＣ３４と液晶パネル３５とを接続する信号配線４９は、全て図示表面の信号配線４９ａとして構成されている。また、この他の信号配線４９である、ドライバＩＣ３４と接続部４６とを接続する信号配線４９、並びに液晶パネル３５の両端からそれぞれ３番目に配置された接続部３６，３６と接続部４６とを接続する信号配線４９は、図示表面の信号配線４９ａとして構成されている。
【００２１】
このような配線部３２においては、図２に示すように、接続孔４９ｃがドライバＩＣ３４より制御回路部４１側寄りに形成されている。したがって、少なくとも、ドライバＩＣ３４より液晶パネル３５側寄りに形成される信号配線４９は、基板の図示表面側に形成される信号配線４９ａとして構成される。このため、信号配線４９が密な部分及びその近傍において基板の両面に信号配線４９を形成する必要がなくなる。また、本実施形態に係る配線部３２は、ドライバＩＣ３４より制御回路部４１側の基板において、信号配線４９を引き回すことができるので、配線構造の複雑化に容易に対応することができる。したがって、本実施形態に係る配線部３２によれば、高度に集積化され、複雑な配線構造を備えたドライバＩＣ３４を容易に実装できるため、小型、高精細の液晶装置を低コストで製造することが可能となる。
なお、本実施形態において、ドライバＩＣ３４より液晶パネル３５側寄りの信号配線４９を全て、基板の図示表面側に形成される信号配線４９ａとした。しかしながら、最低限、ドライバＩＣ３４と液晶パネル３５とを接続する信号配線４９のみを基板の図示表面側に形成される信号配線４９ａとすることによって、高度に集積化され、複雑な配線構造を備えたドライバＩＣ３４を容易に実装することができる。
【００２２】
また、本実施形態の液晶装置では、配線部３２上にドライバＩＣ３４を実装したことで、液晶パネル３５の素子基板３５ａ上に全ての駆動回路を実装する場合に比して、素子基板３５ａにおける回路の占有面積を縮減することができ、もって液晶パネル３５の小型化を実現することが可能になっている。また、液晶パネル３５の高精細化に伴い能力の向上が求められている駆動回路のうち、高い能力が必要な回路を主体としてドライバＩＣ３４を構成し、素子の能力が比較的低くても構わない回路を素子基板３５ａ上に実装する構成とすれば、高性能のドライバＩＣ３４の適用が容易であるとともに、液晶パネル３５の製造容易性を向上させることができ、結果として、高精細で、小型高性能の液晶装置を低コストに製造することが可能になる。
【００２３】
また、駆動回路３７，３８を外付け駆動回路とした場合には、駆動回路と画素部の信号配線とを接続するために極めて多くの端子を素子基板３５ａに引き出す必要があり、小型化、高精細化された液晶パネルでは特に接続端子のピッチが狭くなって、外付け駆動回路と液晶パネルとの信号配線の形成が困難になる。これに対して、本実施形態の液晶装置のように、ドライバＩＣ３４と内蔵の駆動回路３７とが協働して画素部３９の駆動を行うようにすることで、接続部３６の本数を減らすことも可能になり、液晶パネル３５のさらなる小型化、高精細化にも容易に対応が可能な液晶装置を提供することができる。
【００２４】
また、配線部３２が可撓性を有しているため、配線部３２を形状変化させて配することが可能となるため、本実施形態に係る液晶装置を備える電子機器等の設計自由度が向上される。
【００２５】
図１及び図２に示した液晶装置に備えられたドライバＩＣ３４と、駆動回路３７，３８の具体的な構成としては、例えば図３に示すような機能を各回路に対して割り当てた構成が挙げられる。図３は、本実施形態に係る液晶装置の一構成例を示すブロック図であり、図３に示すように、液晶パネル３５に、マトリクス状に配列形成された複数の画素を含む画素部３９と、マルチプレクサ（駆動回路）３７と、Ｙドライバ（駆動回路）３８とがこの液晶パネル３５に設けられている。上記画素部３９は、スイッチング素子としてＴＦＴ素子を備えたアクティブマトリクス型の画素を備え、具体的には、互いに交差する向きにストライプ状に配設されたデータ線及び走査線と、それらの交差点近傍に形成されたＴＦＴ素子と、液晶を駆動する画素電極とを備えた構造とされている。上記データ線はマルチプレクサ３７に接続され、走査線はＹドライバ３８に接続されている。
また、液晶パネル３５に、信号線群４９を介して外部駆動回路であるドライバＩＣ３４が接続され、液晶パネル３５及びドライバＩＣ３４に、それらを制御するタイミング制御回路４１が接続されている。そして、画素部３９が、その周辺に設けられた駆動回路であるＹドライバ３８、マルチプレクサ３７、ドライバＩＣ３４、及びタイミング制御回路４１により駆動制御されるようになっている。
【００２６】
図３に示す画像データＤＡＴＡ、ラッチタイミング信号ＬＰ、シフトレジスタのスタート信号ＳＴ、データクロック信号ＣＬＸ、及び選択信号であるセレクト信号Ｓ１，Ｓ２，Ｓ３が、タイミング制御回路４１からドライバＩＣ３４に供給される。またタイミング制御回路４１から、液晶パネル３５へＹドライバのスタート信号ＤＹ、ラインのシフト信号ＣＬＹが供給される。ドライバＩＣ３４には、タイミング制御回路４１から入力された画像データＤＡＴＡの中から１つの画像信号を選択して出力するセレクタが備えられており、このセレクタは、シフトレジスタと、ラッチ回路と、ドライバ回路とが順列に接続された構成を備えている。
【００２７】
ドライバＩＣ３４は、タイミング制御回路４１から受け取った画像データＤＡＴＡをラッチ回路に入力するとともに、同時に供給されたセレクト信号Ｓ１，Ｓ２，Ｓ３に基づき、ラッチ回路に蓄積されている複数の画像データＤＡＴＡから、上記セレクト信号に対応する１つの画像データを選択し、信号線群４９を介してマルチプレクサ３７に出力する。一方、マルチプレクサ３７はドライバＩＣ３４から受け取った画像データＤＡＴＡを、上記セレクト信号Ｓ１，Ｓ２，Ｓ３と対応する画素列のデータ線に出力する。そして、上記データ線への出力に同期してＹドライバ３８から走査線に出力されるゲート信号により各行の画素のスイッチングが行われ、画像が表示されるようになっている。
【００２８】
上記構成によれば、ドライバＩＣ３４のセレクタに入力された複数の画像データＤＡＴＡを、３種類のセレクト信号のいずれかに対応させ、これらのセレクト信号を切り替えながらセレクト信号に対応する画像データＤＡＴＡのみをマルチプレクサ３７に対して出力するので、画素列の信号線全てに対して画像データＤＡＴＡを出力する場合に比して液晶パネルと駆動回路とに接続された信号線群４９の本数を１／３に減らすことができるため、図２に示す接続部３６の数を減らすことができ、配線部３２と液晶パネル３５との接続を容易なものとすることができる。また液晶パネル３５には、比較的簡素な構造のスイッチ回路を主体として構成されるマルチプレクサ３７のみを実装するようになっているので、液晶パネル３５における駆動回路の占有面積を低減でき、液晶パネル３５の小型化に極めて有利である。さらには、ドライバＩＣ３４が外付けとされているので、より高い能力のドライバＩＣを容易に適用でき、画素部３９の高精細化に容易に対応することが可能である。
【００２９】
（液晶装置の他の形態）
次に、本発明に係る液晶装置の他の形態を、図４を参照して説明する。図４は、本実施形態の液晶装置の平面構成図である。この図に示す液晶装置の特徴とするところは、配線部３２の配線部３２に２つのドライバＩＣ３４Ａ、３４Ｂが実装されている点にあり、その基本構成は図１及び図２に示した液晶装置と同様である。従って、図４において、図１又は図２と同一の符号は同一の構成要素を示している。
【００３０】
図４に示すように、本発明に係る配線部３２には、複数のドライバＩＣ（集積回路チップ）３４Ａ、３４Ｂを実装することが可能になっており、これらを実装することにより信号配線４９等の配線構造が複雑化した場合にも、ドライバＩＣ３４Ａ，３４Ｂと制御回路４１との間において両面に信号配線４９を形成でき、かつ、複数のドライバＩＣと液晶パネル３５とを接続する信号配線４９が基板の図示表面に形成される信号配線４９ａとして構成されているので、配線部３２における配線の引き回しを容易に行うことができ、かつ、安価に配線部３２を製造することが可能となる。また、配線部３２に実装できる電子部品としては、ドライバＩＣ３４Ａ、３４Ｂ等の集積回路チップに限定されず、例えばコンデンサやＬＥＤ（発光ダイオード）、抵抗器等の電子部品も容易に実装することが可能である。
【００３１】
なお、上記各実施の形態では、液晶パネルと配線部とからなる液晶装置を例示して説明したが、本発明に係る光変調装置の形態はこれに限定されるものではなく、例えば有機ＥＬ装置やＤＭＤ（デジタルミラーデバイス）等としての形態にも容易に適用できるのは勿論である。
【００３２】
（投射型表示装置）
次に、本発明に係る表示装置の一実施の形態を図５を参照して説明する。図５は、本実施形態の投射型表示装置を示す概略構成図である。
図５に示すように、本実施形態の投射型表示装置は、Ｒ（赤）、Ｇ（緑）、Ｂ（青）の異なる色毎に、上記実施形態の液晶装置を用いた透過型液晶ライトバルブ２２〜２４を備えた３板式の投射型カラー表示装置であり、光源２，フライアイレンズ３，４，偏光変換装置４ｄを有する照明装置１と、ダイクロイックミラー１３，１４，反射ミラー１５〜１７，レンズ１８〜２０，液晶ライトバルブ２２〜２４，クロスダイクロイックプリズム２５を有する色分離合成系３０と、投射レンズ２６を有する投射光学系４０とを備えて構成されている。
【００３３】
光源２は高圧水銀ランプ或いはメタルハライドランプ等のランプ７と、ランプ７の光を反射するリフレクタ８とを備えて構成されている。また、光源光Ｌの照度分布を被照明領域である液晶ライトバルブ２２，２３，２４において均一化させるための均一照明手段として、光源２側から第１フライアイレンズ３、第２フライアイレンズ４が順次設置されている。各フライアイレンズ３，４は、複数（本実施形態では例えば６×８個）のレンズ９，１０から構成されている。そして、光源２から射出された光Ｌは、フライアイレンズ３，４によって被照明領域である液晶ライトバルブ２２〜２４において照度分布を均一化されるようになっている。
【００３４】
偏光変換装置４ｄは、均一照明手段側に設けられた偏光ビームスプリッタアレイ（ＰＢＳアレイ）と、ＰＢＳアレイによって反射された偏光の偏光方向を変換する１／２波長板アレイとから構成され、光源光の光強度を損なうことなく光の偏光方向を一方向に揃えるようになっている。
【００３５】
ダイクロイックミラー１３，１４は、例えばガラス表面に誘電体多層膜を積層したもので、所定の色光を選択的に反射し、それ以外の波長の光を透過するようになっている。すなわち、青色光・緑色光反射のダイクロイックミラー１３は、光源２からの光束のうちの赤色光ＬＲを透過させるとともに、青色光ＬＢと緑色光ＬＧとを反射するようになっている。また、緑色光反射のダイクロイックミラー１４は、ダイクロイックミラー１３で反射された青色光ＬＢと緑色光ＬＧの内、青色光ＬＢを透過し緑色光ＬＧを反射するようになっている。
【００３６】
これにより、照明装置１から入射された光Ｌのうち、赤色光ＬＲはダイクロイックミラー１３を透過した後、反射ミラー１７で反射され、赤色光用ライトバルブ２２に入射される。緑色光ＬＧはダイクロイックミラー１４に反射されて緑色光用ライトバルブ２３に入射される。青色光ＬＢはダイクロイックミラー１４を透過した後、リレーレンズ１８、反射ミラー１５、リレーレンズ１９、反射ミラー１６、リレーレンズ２０からなるリレー系２１を経て、青色光用ライトバルブ２４に入射されるようになっている。
【００３７】
液晶ライトバルブ２２〜２４は、本実施形態の場合、アクティブマトリクス型の透過型液晶ライトバルブとして構成されており、信号処理された画像信号に基づいて後述の駆動回路により駆動されるようになっている。そして、各ライトバルブ２２〜２４で変調された色光ＬＲ，ＬＧ，ＬＢは、クロスダイクロイックプリズム２５に入射されるようになっている。
クロスダイクロイックプリズム２５は、直角プリズムが貼り合わされた構造となっており、その内面に赤色光ＬＲを反射するミラー面と青色光ＬＢを反射するミラー面とが十字状に形成されている。そして、三つの色光ＬＲ，ＬＧ，ＬＢがこれらのミラー面によって合成されてカラー画像を表わす光が形成された後、投射レンズ２６によりスクリーン２７上に拡大投射されるようになっている。
【００３８】
上記構成の投射型表示装置では、その光変調手段であるところの液晶ライトバルブに、小型、高精細であり、かつ安価に製造できる先の実施形態の液晶装置を備えているので、製造コストの上昇を抑えながら、高機能化を実現することが可能になっている。
【００３９】
（電子機器）
図６は、本発明に係る表示装置を直視型表示部として備えた電子機器の一例である携帯電話の斜視構成図であり、この携帯電話１３００は、本発明の表示装置（例えば上記実施形態の液晶装置）を小サイズの表示部１３０１として備え、複数の操作ボタン１３０２、受話口１３０３、及び送話口１３０４を備えて構成されている。
本発明に係る表示装置は、上記携帯電話に限らず、電子ブック、パーソナルコンピュータ、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等々の画像表示手段として好適に用いることができ、高精細表示が可能な小型の表示部を安価に提供することができる。
【００４０】
以上、添付図面を参照しながら本発明に係る光変調装置、表示装置及び電子機器の好適な実施形態について説明したが、本発明は上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００４１】
例えば、上記実施形態において、光変調装置として液晶装置を例にして説明した。しかしながら、本発明に係る光変調装置は、これに限定されるものではなく、例えば、有機エレクトロルミネッセンス装置に応用することもできる。
【図面の簡単な説明】
【００４２】
【図１】本発明の一実施の形態である液晶装置の斜視構成図。
【図２】同、平面構成図。
【図３】液晶装置の一構成例を示すブロック図。
【図４】他の実施形態の液晶装置の平面構成図。
【図５】表示装置の一形態である投射型表示装置の構成図。
【図６】電子機器の一形態である携帯電話機の斜視構成図。
【符号の説明】
【００４３】
２２……液晶装置（光変調装置）、３２……配線部、３４……ドライバＩＣ（集積回路チップ）、３５……液晶パネル（本体部）、４１……制御回路部（制御回路）、４９……配線
【図１】
2005072145.tif 000003
【図２】
2005072145.tif 000004
【図３】
2005072145.tif 000005
【図４】
2005072145.tif 000006
【図５】
2005072145.tif 000007
【図６】
2005072145.tif 000008